(57)【要約】  筆記具１は、軸筒２の前端にペン先３を備えた筆記具本体と、該筆記具本体の後端側に接続されるインキカートリッジ６とを備える。インキカートリッジ６は、前端が開口され且つ後端が閉鎖された有底円筒状の容器７と、該容器７の開口部７２の内周面に嵌着される栓体８とを含む。筆記具本体は、開口部７２内に挿入して栓体８を後方に押圧することでインキカートリッジ６を開栓する突起部５３と、該突起部５３とは別に形成され且つ該突起部５３を取り囲む気密接続部５２とを含む。気密接続部５２と開口部７２とが気密嵌合することで、開口部７２が複数に区画される。これにより、突起部５３の外周に前後方向の流路が複数本形成される。複数の流路の少なくとも一本がインキ流路となり、他の流路のうちの少なくとも一本が空気導入路となる。
2014148445.tif 000002
【特許請求の範囲】
【請求項１】
軸筒の前端にペン先を備えた筆記具本体と、該筆記具本体の後端側に接続されるインキカートリッジとを備えた筆記具であって、
前記インキカートリッジは、前端が開口され且つ後端が閉鎖された有底円筒状の容器と、該容器の開口部の内周面に嵌着される栓体とを含み、
前記筆記具本体は、容器の開口部内に挿入して栓体を後方に押圧することでインキカートリッジを開栓する突起部と、該突起部とは別に形成され且つ該突起部を取り囲む接続部とを含み、
前記接続部と前記容器の開口部とが気密嵌合することで、前記筆記具本体と前記インキカートリッジとが接続状態となる筆記具。
【請求項２】
前記突起部によって前記容器の開口部が複数に区画されて、前記突起部の外周に前後方向の流路が複数本形成され、前記流路の少なくとも一本がインキ流路となり、他の流路のうちの少なくとも一本が空気導入路となる請求項１記載の筆記具。
【請求項３】
前記突起部が、外周面の前後方向に複数本の溝部を備えてなる請求項１又は２記載の筆記具。
【請求項４】
各溝部の径方向断面形状が略同一である請求項３記載の筆記具。
【請求項５】
前記接続部の内側面と前記容器の開口部の外周面とが気密嵌合することで接続状態となる請求項１記載の筆記具。
【請求項６】
前記接続部が軸方向に延設される円筒である請求項５記載の筆記具。
【請求項７】
前記接続部の内側面及び／又は前記容器の開口部の外周面に気密用環状リブが形成されている請求項６記載の筆記具。
【請求項８】
前記突起部によって前記容器の開口部が複数に区画されることで、前記突起部の外周に前後方向の流路が複数本形成され、前記流路の少なくとも一本がインキ流路となり、他の流路のうちの少なくとも一本が空気導入路となる請求項５乃至７のいずれかに記載の筆記具。
【請求項９】
前記筆記具本体の円筒状の軸筒内に中間部材が圧入嵌合され、該中間部材の嵌合部後方に前記接続部が備えられ、
前記中間部材に係止部が形成されるとともに、前記軸筒内周面に被係止部が形成され、前記接続部に回転力が加えられた際に、前記係止部と前記被係止部が接触係止して中間部材の回転を規制する請求項１記載の筆記具。
【請求項１０】
前記係止部と前記被係止部が、軸方向に延びるリブである請求項９記載の筆記具。
【請求項１１】
前記中間部材に回転防止リブが形成され、前記軸筒の内周面の径方向に複数本の規制リブが形成され、隣り合う規制リブ間に回転防止リブが配置される請求項１０記載の筆記具。
【請求項１２】
前記軸筒の内周面に回転防止リブが形成され、前記中間部材の嵌合部前方の径方向に複数本の規制リブが形成され、隣り合う規制リブ間に回転防止リブが配置される請求項１０記載の筆記具。
【請求項１３】
前記規制リブが、前記軸筒の内周面又は前記中間部材の嵌合部の径方向に等間隔で配置される請求項１１又は１２に記載の筆記具。
【請求項１４】
前記回転防止リブが、複数本からなり、前記軸筒の内周面又は前記中間部材の嵌合部の径方向に等間隔で配置される請求項１１乃至１３のいずれかに記載の筆記具。
【請求項１５】
前記インキカートリッジが、前記接続部、前記中間部材、前記軸筒のいずれかと螺合する請求項９乃至１４のいずれかに記載の筆記具。
【請求項１６】
前記軸筒の内面と前記容器の外周面とのうち、いずれか一方に雄ねじを形成し、他方に雌ねじを形成し、前記雄ねじと前記雌ねじとの螺合に伴って、前記接続部と前記容器の開口部との気密嵌合が進行する請求項１乃至１５のいずれかに記載の筆記具。
【請求項１７】
前記軸筒の先端に備えられたペン先が、マーキングペンチップであり、前記軸筒内にインキ吸蔵体が備えられた請求項１乃至１６のいずれかに記載の筆記具。
【請求項１８】
請求項１乃至４、９乃至１７のいずれか１項に記載の筆記具を構成するインキカートリッジであって、前記容器の開口部が、前記接続部の外側面と気密嵌合する内周面を有するインキカートリッジ。
【請求項１９】
請求項１乃至１７のいずれか１項に記載の筆記具を構成するインキカートリッジであって、前記容器の開口部が、前記接続部の内側面と気密嵌合する外周面を有するインキカートリッジ。
【請求項２０】
請求項１６に記載の筆記具を構成するインキカートリッジであって、前記容器の外周面に、前記雄ねじ又は前記雌ねじのいずれか一方を形成したインキカートリッジ。
【請求項２１】
請求項１７に記載の筆記具を構成するインキカートリッジであって、溶剤中に顔料、樹脂、剥離剤を含む筆記板用油性インキが、前記容器内に収容されたインキカートリッジ。
【発明の詳細な説明】
【技術分野】
【０００１】
本発明は筆記具及びこれに用いられるインキカートリッジに関する。詳細には、交換式インキカートリッジを用いた筆記具に関する。
【背景技術】
【０００２】
従来、交換可能なインキカートリッジを内蔵する筆記具においては、一端を開口する容器内にインキを直に収容し、開口部をボールや円板形状の栓体で封鎖してなるインキカートリッジが広く用いられている。このインキカートリッジは、筆記具本体に形成されるインキ誘導可能な筒状突起部を、前端開口部から嵌入して接続することで、前記栓体が押圧開放される。前記栓体が押圧開放されると、インキカートリッジ内のインキが、筒状突起部の内側（貫通孔）を通ってペン先に供給される。このとき、ペン先側から容器内に空気が供給されることで、インキカートリッジの内圧が均衡状態を保って安定したインキ供給が行われる（例えば、特許文献３、４参照）。【０００３】
従来の汎用構造の筒状突起部では、容器内に空気が入り難く、インキ供給が不安定なものであった。そこで、筒状突起部の内側に空気導入路を形成する試みがなされている（例えば、特許文献１、２参照）。
特許文献１、２には、筒状突起部の内周壁面に、前後方向に延びるスリットが形成された筆記具が記載されている。前記スリットは、空気導入路として作用する。前記スリット状の空気導入路は、インキカートリッジ内に空気を流入し易くすることを目的としている。しかし、前記筒状突起部を構成する壁部の肉厚が薄いため、この壁部の内面に形成されるスリット状の空気導入路は微細なものであった。更に、スリット状の空気導入路は、インキ流路となる前記筒状突起部内の貫通孔と連続する。このため、スリット状の空気導入路は、インキによって液密状態になり易い。このように、スリット状の空気導入路では、液密状態によって空気の流入が妨げられることから十分な効果が得られ難いものであった。【０００４】
特許文献３、４には、栓体の押圧時に、インキカートリッジが接続状態となり、筒状突起部の外周面と、インキカートリッジの開口部の内周面とが気密嵌合する構成の筆記具が記載されている。筒状突起部とインキカートリッジの開口部が気密嵌合することで、インキカートリッジ６の接続状態におけるインキ漏れが抑制される。また、特許文献４においては、前記気密嵌合の構成に加えて、インキカートリッジの開口部の外周面に係止用突起を設けること、及び筆記具本体にスリット付係止部を形成することが記載されている。このような係止用突起及びスリット付係止部により、前記気密嵌合が経時的に緩んでしまった場合であっても、インキカートリッジが脱落することを抑制できる。
特許文献３、４に記載された前記気密嵌合の構成では、インキカートリッジの開口部内に筒状突起部が嵌合されることで気密状態が形成される。このため、インキ流路と空気導入路を兼ねる筒状突起部の貫通孔の内径が小さくなってしまう。この結果、インキカートリッジ内に空気が入り難く、ペン先側へのインキ供給が不安定なものとなる。特に、筆記具の外径が細い場合には、インキカートリッジや筒状突起部の外径も細くなるため、筒状突起部の貫通孔の内径がより小さくなってしまう。このため、特許文献３、４の筆記具では、インキ供給がより不安定なものとなる。
また、特許文献４に記載された筆記具は、インキカートリッジの開口部内に筒状突起部が気密嵌合されるときに、筆記具本体のスリット付係止部が、インキカートリッジの係止用突起を乗り越えて嵌合する構成となっていた。このため、インキカートリッジの取付時には、インキカートリッジが撓まなくなることで大きな押圧力を要する。一方、インキカートリッジの取外時には、インキカートリッジを勢いよく引き抜かねばならず、その際に残留インキの飛散等を生じる虞がある。【０００５】
更に、特許文献１、５に記載された筆記具は、インキ消費後に、使用済のインキカートリッジを交換することで繰り返しの使用が可能となる。
特許文献１、５に記載された筆記具は、インキカートリッジとの接続部である筒状突起部を備えた中間部材を備える。該中間部材は、筆記具本体を構成する軸筒の内面に嵌合される。このような特許文献１、５に記載された筆記具では、使用済のインキカートリッジを交換するときに、インキカートリッジとともに前記中間部材が回転してしまい、前記中間部材が軸筒の内面から容易に外れてしまう虞がある。
【先行技術文献】
【特許文献】
【０００６】
【特許文献１】実用新案第２５１３８１８号公報
【特許文献２】特公昭４４−５１６７号公報
【特許文献３】実開平６−３９４８０号公報
【特許文献４】実開平２−８８７９２号公報
【特許文献５】実開昭５６−６３５７７号公報
【発明の概要】
【発明が解決しようとする課題】
【０００７】
本発明は、インキカートリッジ内からペン先側へのインキ供給と、ペン先側からインキカートリッジ内への空気導入を常に安定して行うことができ、筆跡かすれ等を生じることなく良好な筆記性能を発現できる筆記具を提供するものである。
また、本発明は、筆記具本体にインキカートリッジを適度な嵌合力で接続することができ、インキカートリッジの接続状態におけるインキ漏れを生じることなく、適度な力加減でカートリッジの着脱を行うことができ、更に、軸筒外径が細い筆記具であっても十分な大きさのインキ流路が確保でき、インキカートリッジ交換性能とインキ吐出性能を満足する筆記具を提供するものである。
更に、本発明は、インキカートリッジとともに中間部材が回転することを抑制できる組立保持性及びカートリッジ交換性に優れた筆記具を提供するものである。
【課題を解決するための手段】
【０００８】
（１）上記目的を達成するために、本発明の筆記具は、軸筒の前端にペン先を備えた筆記具本体と、該筆記具本体の後端側に接続されるインキカートリッジとを備えた筆記具であって、前記インキカートリッジは、前端が開口され且つ後端が閉鎖された有底円筒状の容器と、該容器の開口部の内周面に嵌着される栓体とを含み、前記筆記具本体は、容器の開口部内に挿入して栓体を後方に押圧することでインキカートリッジを開栓する突起部と、該突起部とは別に形成され且つ該突起部を取り囲む接続部とを含み、前記接続部と前記容器の開口部とが気密嵌合することで、前記筆記具本体と前記インキカートリッジとが接続状態となる構成としてある。【０００９】
（２）第１の本発明の実施形態は、上記（１）の筆記具において、前記突起部によって前記容器の開口部が複数に区画されて、前記突起部の外周に前後方向の流路が複数本形成され、前記流路の少なくとも一本がインキ流路となり、他の流路のうちの少なくとも一本が空気導入路となる構成としてある。
（３）好ましくは、上記（１）又は（２）の筆記具において、前記突起部が、外周面の前後方向に複数本の溝部を備えてなる構成としてもよい。
（４）好ましくは、上記（３）の筆記具において、各溝部の径方向断面形状が略同一である構成としてもよい。【００１０】
（５）第２の本発明の実施形態は、上記（１）の筆記具において、前記接続部の内側面と前記容器の開口部の外周面とが気密嵌合することで接続状態となる構成としてもよい。
（６）好ましくは、上記（５）の筆記具において、前記接続部が軸方向に延設される円筒である構成としてもよい。
（７）好ましくは、上記（６）の筆記具において、前記接続部の内面及び／又は前記容器の開口部の外周面に気密用環状リブが形成されている構成としてもよい。
（８）好ましくは、上記（５）乃至（７）のいずれかの筆記具において、前記突起部によって前記容器の開口部が複数に区画されることで、前記突起部の外周に前後方向の流路が複数本形成され、前記流路の少なくとも一本がインキ流路となり、他の流路のうちの少なくとも一本が空気導入路となる構成としてもよい。【００１１】
（９）第３の本発明の実施形態は、上記（１）の筆記具において、前記筆記具本体の円筒状の軸筒内に中間部材が圧入嵌合され、該中間部材の嵌合部後方に前記接続部が備えられ、前記中間部材に係止部が形成されるとともに、前記軸筒内周面に被係止部が形成され、前記接続部に回転力が加えられた際に、前記係止部と前記被係止部が接触係止して中間部材の回転を規制する構成としてある。
（１０）好ましくは、上記（９）の筆記具において、前記係止部と前記被係止部が、軸方向に延びるリブである構成としてもよい。
（１１）好ましくは、上記（１０）の筆記具において、前記中間部材に回転防止リブが形成され、前記軸筒の内周面の径方向に複数本の規制リブが形成され、隣り合う規制リブ間に回転防止リブが配置される構成としてもよい。
（１２）好ましくは、上記（１０）の筆記具において、前記軸筒の内周面に回転防止リブが形成され、前記中間部材の嵌合部前方の径方向に複数本の規制リブが形成され、隣り合う規制リブ間に回転防止リブが配置される構成としてもよい。
（１３）好ましくは、上記（１１）又は（１２）の筆記具において、前記規制リブが、前記軸筒の内周面又は前記中間部材の嵌合部の径方向に等間隔で配置される構成としてもよい。
（１４）好ましくは、上記（１１）乃至（１３）のいずれかの筆記具において、前記回転防止リブが、複数本からなり、前記軸筒の内周面又は前記中間部材の嵌合部の径方向に等間隔で配置される構成としてもよい。
（１５）好ましくは、上記（９）乃至（１４）のいずれかの筆記具において、前記インキカートリッジが、前記接続部、前記中間部材、前記軸筒のいずれかと螺合する構成としてもよい。【００１２】
（１６）好ましくは、上記（１）乃至（１５）のいずれかの筆記具において、前記軸筒の内面と前記容器の外周面とのうち、いずれか一方に雄ねじを形成し、他方に雌ねじを形成し、前記雄ねじと前記雌ねじとの螺合に伴って、前記接続部と前記容器の開口部との気密嵌合が進行する構成としてもよい。
（１７）好ましくは、上記（１）乃至（１６）のいずれかの筆記具において、前記軸筒の先端に備えられたペン先が、マーキングペンチップであり、前記軸筒内にインキ吸蔵体が備えられた構成としてもよい。【００１３】
（１８）第１の本発明のインキカートリッジは、上記（１）乃至（４）、（９）乃至（１７）のいずれかの筆記具を構成するインキカートリッジであって、前記容器の開口部が、前記接続部の外側面と気密嵌合する内周面を有する構成としてある。
（１９）第２の本発明のインキカートリッジは、上記（１）乃至（１７）のいずれかの筆記具を構成するインキカートリッジであって、前記容器の開口部が、前記接続部の内側面と気密嵌合する外周面を有する構成としてある。
（２０）第３の本発明のインキカートリッジは、上記（１６）の筆記具を構成するインキカートリッジであって、前記容器の外周面に、前記雄ねじ又は前記雌ねじのいずれか一方を形成した構成としてある。
（２１）第４の本発明のインキカートリッジは、上記（１７）の筆記具を構成するインキカートリッジであって、溶剤中に顔料、樹脂、剥離剤を含む筆記板用油性インキが、前記容器内に収容された構成としてある。【００１４】
尚、本発明において「前」とは、筆記具におけるペン先側及びカートリッジにおける開口部側であり、「後」とは、その反対側を示す。
【発明の効果】
【００１５】
第１の本発明の筆記具では、筆記具本体にインキカートリッジを装着したときに、インキ流路と空気導入路とが連続することなく、十分な大きさでそれぞれ独立して形成される。これにより、第１の本発明の筆記具では、空気導入路がインキによって液密状態にならず、インキカートリッジ内からペン先側へのインキ供給と、ペン先側からインキカートリッジ内への空気導入が常に安定して行われる。したがって、第１の本発明によれば、筆跡かすれ等を生じることなく良好な筆記性能を永続的に発現でき、インキ吐出安定性に優れた筆記具を提供することができる。
また、第１の本発明の筆記具は、簡易な構造で空気導入路の断面積を大きく形成できるため、インキによる液密状態を確実に防止することができる。【００１６】
第２の本発明の筆記具では、筆記具本体にインキカートリッジを適度な嵌合力で気密状態に接続できる。これにより、第２の本発明の筆記具では、インキカートリッジの接続状態におけるインキ漏れを生じることなく、適度な力加減でインキカートリッジの取り付けと取り外しを行うことができる。更に、第２の本発明の筆記具では、インキカートリッジが接続される軸筒の外径が細い場合であっても、インキカートリッジの開口部の内側に、十分な大きさのインキ流路及び空気導入路を確保できる。したがって、第２の本発明によれば、インキカートリッジ交換性能とインキ吐出性能を満足する筆記具を提供できる。
更に、第２の本発明の筆記具では、突起部によってインキカートリッジの開口部が複数に区画される。これにより、第２の本発明の筆記具では、筆記具本体にインキカートリッジを装着したときに、インキ流路と空気導入路とが連続することなく、十分な大きさでそれぞれ独立して形成される。この結果、第２の本発明の筆記具では、空気導入路がインキによって液密状態にならず、インキカートリッジ内からペン先側へのインキ供給と、ペン先側からインキカートリッジ内への空気導入が常に安定して行われる。したがって、第２の本発明によれば、筆跡かすれ等を生じることなく良好な筆記性能を永続的に発現でき、インキ吐出安定性に優れた筆記具を提供できる。【００１７】
第３の本発明の筆記具では、筆記具本体にインキカートリッジを着脱させる際に、インキカートリッジを回転させた場合でも、インキカートリッジとともに中間部材が回動することを抑制できる。したがって、第３の本発明によれば、軸筒内に嵌合される中間部材が外れることを確実に防止でき、組立保持性とカートリッジ交換性に優れた筆記具を提供できる。
【図面の簡単な説明】
【００１８】
【図１】第１の本発明の筆記具の第一の実施形態を示す断面図である。
【図２】図１の筆記具を構成する筆記具本体を示す断面図である。
【図３】図１の筆記具を構成するインキカートリッジを示す断面図である。
【図４】図１の筆記具のＡ−Ａ方向断面の要部断面図である。
【図５】図１の筆記具に使用される中間部材の拡大斜視図である。
【図６】第１の本発明の筆記具の第２の実施形態を示す要部断面図である。
【図７】図６の筆記具断面の９０°回転方向の断面図である。
【図８】第１の本発明の筆記具の第３の実施形態を示す要部断面図である。
【図９】図８の筆記具の接続部分を示すＢ−Ｂ方向断面図であり、図中（ａ）〜（ｄ）は突起部形状の複数の実施形態を示す。
【図１０】第２の本発明の筆記具の一実施形態を示す断面図（軸方向短縮図）である。
【図１１】図１０の筆記具に使用される中間部材の拡大斜視図である。
【図１２】第２の本発明の筆記具における別の形態の中間部材の拡大斜視図である。
【図１３】図１２の中間部材が使用された筆記具の接続部分を示す要部断面図である。
【図１４】第３の本発明の筆記具の一実施形態を示す断面図である。
【図１５】図１４の筆記具のＡ−Ａ方向断面図である。
【図１６】図１４の筆記具に使用される軸筒の断面斜視図である。
【図１７】図１４の筆記具に使用される中間部材の斜視図である。
【図１８】第３の本発明の筆記具における別の形態の中間部材の斜視図である。
【図１９】図１４の筆記具に図１８の中間部材が使用された場合のＡ−Ａ方向に対応する断面図である。
【発明を実施するための形態】
【００１９】
＜第１の本発明の実施形態＞
第１の本発明の筆記具及びインキカートリッジの実施形態について図面を用いて説明する。但し、第１の本発明は、以下に説明する実施形態に限定されるものではない。
図１に示す第１の実施形態の筆記具１は、図２に示す筆記具本体と、図３に示すインキカートリッジ６とで構成されている。筆記具本体は、筆記先端となるペン先３を軸筒２の前端に備え、インキ吸蔵体４と中間部材５を軸筒２内に配設した構成となっている。インキカートリッジ６は、有底円筒状の容器７内にインキを直接収容し、その開口部７２を栓体８で封鎖した構成となっている。
【００２０】
筆記具１は直液式形態の筆記具である。筆記具本体の軸筒２は、ペン先３と、ペン先３の後端に接続されるインキ吸蔵体４と、インキ吸蔵体４の後方に配置される中間部材５とを備える。図４、５に示すように、中間部材５は、後方に気密接続部５２と突起部５３を備える。軸筒２は、後端が開口した円筒形樹脂成形体である。軸筒２は、前端でペン先３を保持し、且つインキ吸蔵体４と中間部材５を内蔵した構成となっている。更に、筆記具本体とインキカートリッジ６とは、軸筒２の後端開口に挿入されたインキカートリッジ６が中間部材５と嵌合することで筆記具形態となる。
【００２１】
ペン先３は、合成樹脂製繊維（例えば、ポリエステル繊維、アクリル繊維、ナイロン繊維等）の樹脂加工により得られる棒状体のマーキングペンチップである。ペン先３の前端は、砲弾状に研削されているが、チゼル状等汎用形状に加工したものを適用することが可能である。更にペン先３として、マーキングペンチップの他、ボールペンチップ等を用いることもできる。
【００２２】
インキ吸蔵体４は、円柱状の合成樹脂製繊維（例えば、ポリエステル繊維）の加工体よりなる。インキ吸蔵体４の外周面には、円筒状の外皮が被覆されている。前記外皮は、合成樹脂製フィルム（例えば、ポリエチレンテレフタレート製フィルム）よりなる。ペン先３の後端は、インキ吸蔵体４の前端面の軸心に突き刺さり、インキ吸蔵体４の内部前方に位置する。
尚、インキ吸蔵体４としては、インキを一旦保持できる構造を有していれば汎用のものが使用可能である。インキ吸蔵体４として、蛇腹状のインキ保溜部材（ペン芯）等を用いることもできる。
【００２３】
軸筒２は、合成樹脂（例えば、ポリプロピレン、ポリエチレン等）の射出成形により得られる筒状体である。軸筒２のペン先３の外周面を保持する前端は先細状となっている。軸筒２の前端から後端開口部分までは一部材で成形されている。更に軸筒２の内部には、インキ吸蔵体４及び中間部材５が配設される。筆記具本体にインキカートリッジ６を接続させると、軸筒２の内部に接続状態のインキカートリッジ６が配設される。
具体的な構造として、軸筒２の内面には、前後方向に延びる複数本のリブが一体に形成されている。該リブは、インキ吸蔵体４の外周面に圧接して、インキ吸蔵体４を保持する。また、軸筒２の先細部内面にもリブが形成されている。該リブは、ペン先３の外周面に圧接して、ペン先３を保持する。
前記リブにより、インキ吸蔵体４の外周面と軸筒２の内面との間、ペン先３外周面と先細部内面との間に空気通路が形成される。
【００２４】
図２、４及び５に示すように、中間部材５は、合成樹脂（例えば、ポリプロピレン、ポリエチレン等）の射出成形により得られる。中間部材５は、インキ吸蔵体４とインキカートリッジ６とを区画する略円盤状の隔壁を有する。前記隔壁の前面には、前方に突出し且つインキ吸蔵体４の内部に突き刺さる複数本（例えば、二本）の連通管が形成される。前記連通管は、軸方向にインキ誘導部５１を備える。前記隔壁の後面には、後方に突出し且つインキカートリッジ６の開口部７２に挿入される突起部５３が形成される。更に、前記隔壁の後面には、後方に突出し且つ突起部５３が軸心に位置するように形成される筒状の気密接続部５２が形成される。中間部材５は、前記隔壁と、前記連通管と、突起部５３と、気密接続部５２とを備える一部材からなる。中間部材５は、前記隔壁の外周面が軸筒２の内周面と嵌合することで固定されている。
尚、本実施形態の筆記具１では、インキカートリッジ６の開口部７２近傍の外周面に環状リブが形成される。前記環状リブが、気密接続部５２の内周面に圧接することで、インキカートリッジ６の開口部７２の外周面が気密状態で接続保持される。しかし、本発明の筆記具は、この構成に限定されるものではない。例えば、突起部５３の外周面と、インキカートリッジ６の開口部７２の内周面とが嵌合して気密状態を形成する構造や、インキカートリッジ６の開口部７２の前面と中間部材５の前記隔壁とが圧接して気密状態を形成する構造等、インキ漏れを生じない他の構造を用いることもできるため、必ずしも必要ではない。更に、インキカートリッジ６の開口部７２の内周面が、気密接続部５２の外周面に嵌合して気密状態を形成する構造としてもよい（図６、７、８を参照）。
【００２５】
中間部材５の構成について、図４の断面図、図５の斜視図により更に詳細に説明する。
図５に示すように、中間部材５の突起部５３には、前後方向に延びる半円形の溝部（流路）５４が形成される。本実施形態では、突起部５３における上下方向の対称位置に二本の溝部５４が形成される。図４に示すように、インキカートリッジ６の開口部７２内に突起部５３が挿入されると、突起部５３の溝部５４を除く外周面が、開口部７２の内周面に略嵌合状態となる。該溝部５４の前記隔壁側の端部には、インキ誘導部５１と連通する二つの貫通孔が形成されている。突起部５３がインキカートリッジ６の開口部７２に嵌合すると、後述する栓体８が開栓になる。このとき、二本の溝部５４のうちの一方がインキ流路として作用する。該インキ流路は、インキカートリッジ６内のインキをペン先３側に供給する通路となる。また、二本の溝部５４のうちの他方は、空気導入路として作用する。該空気導入路は、ペン先３側からインキカートリッジ６内に空気を流入させる通路となる。このような構成により、筆記具本体とインキカートリッジ６との内圧の均衡が保たれる。
前記インキ流路及び前記空気導入路となる二本の溝部５４を突起部５３の外面に設けることで、インキカートリッジ６の開口部７２が径方向に複数（本実施形態では二つ）に区画される。これにより、前記インキ流路と前記空気導入路とが接触することなくそれぞれ独立して形成される。
尚、上述した突起部５３と開口部７２との前記略嵌合状態とは、突起部５３の外面と開口部７２の内面とが、略全面で密接する状態、部分的に接する状態、両面間に微細な隙間が形成された状態（遊嵌）のいずれを含むものである。そのため、突起部５３と開口部７２とが遊嵌する場合には、二本の溝部５４によって形成される大空間流路が、実質的に独立した状態で前記インキ流路と前記空気導入路として作用する。
但し、突起部５３と開口部７２とを前記略嵌合状態にさせる構成は、本発明の筆記具の好ましい実施形態の一つである。本発明の筆記具は、突起部５３と開口部７２とを前記略嵌合状態にさせる構成に限定されるものではない。したがって、本発明の筆記具は、突起部５３と開口部７２とを嵌合させない構成を含む。
【００２６】
図３に示すように、インキカートリッジ６は、前端が開口し、後端が閉鎖された有底円筒状体である容器７と、容器７の前記開口に嵌合された開口部７２とを備える。容器７は、合成樹脂（例えば、ポリプロピレン樹脂）の射出成形またはブロー成形により得られる。開口部７２の内側壁面には、栓体８が嵌着されている。また、容器７内は、インキ収容部７１となっている。インキ収容部７１内には、例えば、油性インキが直接収容される（インキは図示せず）。本実施形態では、球状の栓体８で開口部７２の内周面を密封するために、別部材の開口部７２を容器７の前記開口に嵌合させている。図１に示すように、インキカートリッジ６が筆記具本体に接続されると、容器７の後方外周面が軸筒２の後端内面と嵌合される。容器７の後端は、筆記具１の尾栓となるように形成されている。尚、本実施形態では、インキカートリッジ６を筆記具本体に接続させるために、容器７の後方外周面が、軸筒２に嵌合する構成としたが、本発明の筆記具は、この構成に限定されるものではない。例えば、容器７と軸筒２とを螺合させるなど、インキカートリッジ６がより抜け難い接続方法を適用することもできる。また、本実施形態では、栓体８として球状物を用いているが、本発明の筆記具は、この構成に限定されるものではない。栓体８は、押圧開放可能なものであれば、例えば、円盤状のものや、開口部７２に一体成形された薄肉状のもの等、従来から知られた形態であってもよい。
【００２７】
前記油性インキとしては、例えば、溶剤としてエタノールとイソプロピルアルコールを用いて、顔料、樹脂、剥離剤等の添加剤を含有する筆記板用油性インキが適用される。このような組成の筆記板用油性インキは、筆記時の筆跡乾燥性及び消去性に優れる。尚、本発明に適用されるインキは、前記筆記板用油性インキの組成に限定されるものではなく、剥離剤を含まない油性インキや、主溶媒を水とする水性インキであってもよい。
【００２８】
インキカートリッジ６は、筆記具本体を構成する軸筒２の後端開口に挿入され、更に前方に押圧される。これにより、突起部５３の後端が、栓体８を後方に押圧してインキカートリッジ６を開栓させる。その際、突起部５３の溝部５４を除く外周面と開口部７２の内周面とが略嵌合状態となる。また、開口部７２の外周面が気密接続部５２の内周面と気密嵌合される。これにより、インキカートリッジ６と筆記具本体とが接続状態となる。
このようなインキカートリッジ６と筆記具本体との接続状態においては、開口部７２の内側の円形空間が、突起部５３によって区画され、溝部５４からなる二本の流路に分断される。そのため、インキカートリッジ６内からインキ誘導部５１を通ってペン先３側へインキが供給されるとき（即ち、筆記時）には、一方の溝部５４がインキ流路となり、他方の溝部５４がペン先３側からインキカートリッジ６内への空気導入路となる。このような構成により、前記空気導入路となる空間がインキによって封鎖（液密状態）されることがなくなり、容器７のインキ収容部７１の内圧が常時一定となる。この結果、ペン先３へのインキ供給が常に安定して行われ、筆跡かすれ等を生じることなく安定した筆記が可能となる。
【００２９】
図６、７に第２の実施形態の筆記具１の要部を示す。図６は第１の実施形態の図１に対応した断面図である。図７は図４に対応した断面図である。本実施形態の筆記具１は、図６、７に示す中間部材５の後方の気密接続部５２と、インキカートリッジ６の開口部７２の前端の構成が、第１の実施形態と相違する。これ以外の構成は、第１の実施形態と同様である。
【００３０】
中間部材５は、合成樹脂の射出成形により得られる部材である。中間部材５は、インキ吸蔵体４とインキカートリッジ６とを区画する隔壁を備える。前記隔壁の前面には、前方に突出し且つインキ吸蔵体４の内部に突き刺さる二本の連通管が形成される。前記連通管は、軸方向にインキ誘導部５１を備える。前記隔壁の後面には、後方に突出し且つインキカートリッジ６の開口部７２に挿入される突起部５３が形成される。更に、前記隔壁の後面には、後方に突出し且つ突起部５３の外周に位置する短寸の気密接続部５２が形成される。中間部材５は、前記隔壁と、前記連通管と、突起部５３と、気密接続部５２とを備える一部材からなる。
図６、７に示す本実施形態の気密接続部５２は、図１、４に示す第１実施形態の気密接続部５２と比較して、長さが極めて短い円筒状となっている。図６、７に示す本実施形態の筆記具１では、気密接続部５２の外周面が、開口部７２の前端近傍の内周面と嵌合することで、インキカートリッジ６の開口部７２の内周面が気密状態で接続保持される。
図６、７に示す突起部５３は、インキカートリッジ６の開口部７２に挿入され、略嵌合状態となる。該溝部５４の前記隔壁側の端部には、インキ誘導部５１と連通する二つの貫通孔が形成されている。突起部５３がインキカートリッジ６の開口部７２に嵌合すると、栓体８が開栓状態になる。このとき、二本の溝部５４の一方が、インキ流路として作用する。該インキ流路は、インキカートリッジ６内のインキをペン先３側に供給する通路となる。二本の溝部５４の他方は、空気導入路として作用する。該空気導入路は、ペン先３側からインキカートリッジ６内に空気を流入させる通路となる。このような構成により、筆記具本体とインキカートリッジ６との内圧の均衡が保たれる。
前記インキ流路及び空気導入路となる二本の溝部５４を突起部５３の外面に設けることで、インキカートリッジ６の開口部７２が径方向に複数（本実施形態では二つ）に区画される。これにより、前記インキ流路と前記空気導入路とが接触することなくそれぞれ独立して形成される。
【００３１】
図６、７に示す筆記具１では、インキカートリッジ６を軸筒２の後端開口より挿入し、更に前方に押圧する。これにより、突起部５３の後端が、栓体８を後方に押圧してインキカートリッジ６が開栓させる。その際、突起部５３の溝部５４を除く外周面と開口部７２の内周面とが略嵌合状態となる。また、開口部７２の前方の内周面が気密接続部５２の外周面と気密嵌合される。これにより、突起部５３が開口部７２内で遊嵌した場合であっても、インキカートリッジ６の接続状態におけるインキ漏れを抑制できるとともに、より強固な接続状態を保持できる。
【００３２】
次に、他の実施形態として、図９（ａ）〜（ｄ）に突起部５３の形状の異なる四つの具体例を示す。図９（ａ）〜（ｄ）は、図８に示すインキカートリッジ６の接続部分のＢ−Ｂ方向断面である。図８は第１の実施形態の図４に対応した断面図である。本実施形態の筆記具１は、図８、９に示す中間部材５の突起部５３の形状と、インキカートリッジ６の開口部７２の形状が、第１の実施形態と相違する。これ以外の構成は、第１の実施形態と同様である。
【００３３】
中間部材５は、合成樹脂の射出成形により得られる。中間部材５は、インキ吸蔵体４とインキカートリッジ６とを区画する隔壁を有する。前記隔壁の前面には、前方に突出し且つインキ吸蔵体４の内部に突き刺さる複数本の連通管が形成される。前記連通管は、軸方向にインキ誘導部５１を備える。前記隔壁の後面には、後方に突出し且つインキカートリッジ６の開口部７２に挿入される突起部５３が形成される。中間部材５は、前記隔壁と、前記連通管と、突起部５３とを備える一部材からなる。
尚、本実施形態の筆記具１では、突起部５３がインキカートリッジ６の開口部７２内に嵌入される。突起部５３の外周面と開口部７２の内周面とが嵌合することで、インキカートリッジ６の内周面が接続保持される。また、インキカートリッジ６の開口部７２の前端が、前記隔壁と接触する位置で接続されることで気密状態が形成され、インキ漏れを生じ難い構造となっている。
【００３４】
図９（ａ）〜（ｄ）に示す突起部５３は、いずれもインキカートリッジ６の開口部７２と嵌合される外径を有する柱状物である。
図９（ａ）に示す突起部５３の形状は、その断面が略Ｙ字形となっている。略Ｙ字状の突起部５３は、前後方向に延びる三本の半円形の溝部５４を有する。三本の半円形の溝部５４は、突起部５３の円周方向における均等な位置に形成されている。該溝部５４の前記隔壁側には、インキ誘導部５１と連通する貫通孔が形成されている。
図９（ｂ）に示す突起部５３の形状は、その断面が略十字形となっている。略十字形の突起部５３は、インキカートリッジ６の開口部７２の内側を、前後方向に延びる四つの流路（溝部５４）に区画する。該溝部５４の前記隔壁側には、インキ誘導部５１と連通する貫通孔が形成されている。
図９（ａ）、（ｂ）に示す突起部５３がインキカートリッジ６の開口部７２に嵌合すると、栓体８が開栓状態になる。このとき、複数の溝部５４のうちのいずれかがインキ流路として作用する。該インキ流路は、インキカートリッジ６内のインキをペン先３側に供給する通路となる。一方、インキ流路として作用しなかった残りの溝部５４は、空気導入路として作用する。該空気導入路は、ペン先３側からインキカートリッジ６内に空気を流入させる通路となる。このような構成により、筆記具本体とインキカートリッジ６との内圧の均衡が保たれる。
突起部５３の断面形状を略Ｙ字形又は略十字形とすることで、インキカートリッジ６の開口部７２が径方向に複数に区画される。これにより、インキ流路と空気導入路とが接触することなくそれぞれ独立して形成される。
【００３５】
図９（ｃ）に示す突起部５３の形状は、その断面形状が略長方形となっている。略長方形の突起部５３は、開口部７２と嵌合する側面部分がＲ状に形成されている。
図９（ｄ）に示す突起部５３の形状は、その断面形状が正方形となっている。正方形の突起部５３の軸心部分には、インキ流路又は空気導入路となる貫通孔（溝部５４）が形成されている。
図９（ｃ）、（ｄ）のに示す突起部５３が、インキカートリッジ６の開口部７２に嵌合すると、栓体８が開栓状態になる。このとき、突起部５３が開口部７２の内側を区画することで、開口部７２の内周面と突起部５３の外周面の間に複数の流路（溝部５４）が形成される。複数の溝部５４のうちのいずれかがインキ流路として作用する。該インキ流路は、インキカートリッジ６内のインキをペン先３側に供給する通路となる。一方、インキ流路として作用しなかった残りの溝部５４は、空気導入路として作用する。該空気導入路は、ペン先３側からインキカートリッジ６内に空気を流入させる通路となる。このような構成により、筆記具本体とインキカートリッジ６との内圧の均衡が保たれる。
突起部５３の断面形状を略長方形又は正方形とすることで、インキカートリッジ６の開口部７２が径方向に複数に区画される。これにより、インキ流路と空気導入路とが接触することなくそれぞれ独立して形成される。
【００３６】
図８、９（ａ）〜（ｄ）に示す筆記具１は、突起部５３の外周面の一部と開口部７２の内周面とが嵌合する構造となっている。これにより、インキカートリッジ６の接続状態がより強固に保持される。また、図８、９（ａ）〜（ｄ）に示す筆記具１は、開口部７２の前端が中間部材５５の前記隔壁の表面と密接する構造となっている。これにより、インキカートリッジ６の気密状態が形成され、インキカートリッジ６の接続状態におけるインキ漏れが抑制される。
【００３７】
＜第２の本発明の実施形態＞
次に、第２の本発明の筆記具及びインキカートリッジの実施形態について図面を用いて説明する。但し、第２の本発明は、以下に説明する実施形態に限定されるものではない。
図１０に示す実施形態の筆記具１は、図１に示す第１実施形態と同様に、筆記具本体と、インキカートリッジ６とで構成されている。筆記具本体は、筆記先端となるペン先３を軸筒２の前端に備え、インキ吸蔵体４と中間部材５を軸筒２内に配設した構成となっている。インキカートリッジ６は、有底円筒状の容器７内にインキを直接収容し、その開口部７２を栓体８で封鎖した構成となっている。
【００３８】
前記筆記具１は直液式形態の筆記具である。筆記具本体の軸筒２は、ペン先３と、ペン先３の後端に接続されるインキ吸蔵体４と、インキ吸蔵体４の後方に配置される中間部材５とを備える。図１０、１１に示すように、中間部材５は、後方に気密接続部５２と突起部５３とを備える。軸筒２は、前端でペン先３を保持し、且つインキ吸蔵体４と中間部材５を内蔵した構成となっている。更に、筆記具本体とインキカートリッジ６とは、軸筒２の後端開口に挿入されたインキカートリッジ６が中間部材５の気密接続部５２と嵌合することで筆記具形態となる。
【００３９】
ペン先３は、合成樹脂製繊維（例えば、ポリエステル繊維、アクリル繊維、ナイロン繊維等）の樹脂加工により得られる棒状体のマーキングペンチップである。ペン先３の前端は、砲弾状に研削されているが、チゼル状等汎用形状に加工したものを適用することが可能である。更にペン先３として、マーキングペンチップの他、ボールペンチップ等を用いることもできる。
【００４０】
インキ吸蔵体４は、円柱状の合成樹脂製繊維（例えば、ポリエステル繊維）の加工体よりなる。インキ吸蔵体４の外周面には、円筒状の外皮が被覆されている。前記外皮は、合成樹脂製フィルムや不織布よりなる。例えば、本実施形態では、前記外皮として、ポリエチレンテレフタレート製フィルムを用いている。ペン先３の後端は、インキ吸蔵体４の前端面の軸心に突き刺さり、インキ吸蔵体４の内部前方に位置する。
尚、インキ吸蔵体４としては、インキを一旦保持できる構造を有していれば汎用のものが使用可能である。インキ吸蔵体４として、蛇腹状のインキ保溜部材（ペン芯）等を用いることもできる。
【００４１】
軸筒２は、合成樹脂（例えば、ポリプロピレン、ポリエチレン等）の射出成形により得られる筒状体である。軸筒２のペン先３の外周面を保持する前端は先細状となっている。軸筒２の前端から後端開口部分までは一部材で成形されている。更に軸筒２の内部には、インキ吸蔵体４及び中間部材５が配設される。筆記具本体にインキカートリッジ６を接続させると、軸筒２の内部に接続状態のインキカートリッジ６が配設される。
具体的な構造として、軸筒２の内面には、前後方向に延びる複数本のリブが一体に形成されている。該リブは、インキ吸蔵体４の外周面に圧接して、インキ吸蔵体４を保持する。また、軸筒２の先細部内面にもリブが形成されている。該リブは、ペン先３の外周面に圧接して、ペン先３を保持する。
前記リブにより、インキ吸蔵体４の外周面と軸筒２の内面との間、ペン先３外周面と先細部の内面との間に、それぞれ空気通路が形成される。
【００４２】
図１０、１１に示すように、中間部材５は、合成樹脂（例えば、ポリプロピレン、ポリエチレン等）の射出成形により得られる。中間部材５は、インキ吸蔵体４とインキカートリッジ６とを区画する略円盤状の隔壁を有する。該隔壁は、二つの貫通孔５１´を備える。前記隔壁の前面には、前方に突出し且つインキ吸蔵体４の内部に突き刺さる複数本（例えば、二本）の連通管が形成される。前記連通管は、貫通孔５１´から軸方向に延びるインキ誘導部５１を備える。前記隔壁の後面には、後方に突出し且つインキカートリッジ６の開口部７２に挿入される突起部５３が形成される。更に、前記隔壁の後面には、後方に突出し且つ突起部５３が軸心に位置するように形成される円筒状の気密接続部５２が形成される。気密接続部５２の内側には、前記隔壁の貫通孔５１´が配置される。中間部材５は、前記隔壁と、前記連通管と、突起部５３と、気密接続部５２とを備える一部材からなる。中間部材５は、前記隔壁の外周面が軸筒２の内周面と嵌合することで固定されている。
円筒状の気密接続部５２の内側には、二つの貫通孔５１´に連通する二つの流路が形成される。これら流路は、各インキ誘導部５１と連通することで、インキ流路及び空気導入路として作用する。また、円筒状の気密接続部５２の内周面は、インキカートリッジ６の開口部７２の外周面と気密嵌合する気密部９となる。
尚、本実施形態の筆記具１では、インキカートリッジ６の開口部７２の近傍の外周面に二本の環状リブが形成される。前記環状リブは、気密接続部５２の内周面に適度な嵌合力で圧接することで、インキカートリッジ６の開口部７２の外周面が気密状態で接続保持される。しかし、本発明の筆記具は、この構成に限定されるものではない。例えば、環状リブを設けずに、気密接続部５２の内周面と、開口部７２の外周面とが面接触で嵌合する構成とすることも可能である。
【００４３】
中間部材５の構成について、図１０の断面図、図１１の斜視図により更に詳細に説明する。
図１１に示すように、中間部材５の突起部５３には、前後方向に延びる半円形の溝部（流路）５４が形成される。本実施形態では、突起部５３における上下方向の対称位置に二本の溝部５４が形成される。図１０に示すように、インキカートリッジ６の開口部７２内に突起部５３が挿入されると、突起部５３の溝部５４を除く外周面が、開口部７２の内周面に遊嵌状態となる。該溝部５４の前記隔壁側の端部には、インキ誘導部５１と連通する貫通孔５１´が形成されている。突起部５３がインキカートリッジ６の開口部７２に嵌合すると、後述する栓体８が開栓になる。このとき、二本の溝部５４のうちの一方がインキ流路として作用する。該インキ流路は、インキカートリッジ６内のインキをペン先３側に供給する通路となる。また、二本の溝部５４のうちの他方は、空気導入路として作用する。該空気導入路は、ペン先３側からインキカートリッジ６内に空気を流入させる通路となる。このような構成により、筆記具本体とインキカートリッジ６との内圧の均衡が保たれる。
尚、上述した開口部７２と突起部５３との前記遊嵌状態とは、開口部７２の内周面と突起部５３の外周面と間にインキが浸透しない程度の微細な隙間が形成される状態である。
前記インキ流路及び前記空気導入路となる二本の溝部５４を突起部５３の外周面に設けることで、インキカートリッジ６の開口部７２が径方向に複数（本実施形態では二つ）に区画される。これにより、前記インキ流路と前記空気導入路とが接触することなくそれぞれ独立して形成される。
尚、突起部５３の外周面と開口部７２の内周面との挿入状態は、遊嵌状態に限定されるものではない。例えば、上述した略嵌合状態のように、（突起部５３の外周面と開口部７２の内周面とが全面又は部分的に密接する状態であってもよい。
【００４４】
図１０に示すように、インキカートリッジ６は、前端が開口し、後端が閉鎖された有底円筒状体である容器７と、容器７の前記開口に嵌合された開口部７２とを備える。容器７は、合成樹脂（例えば、ポリプロピレン樹脂）の射出成形またはブロー成形により得られる。開口部７２の内側壁面には、栓体８が嵌着されている、また、開口部７２の外周面には、二本の前記環状リブが形成されている。また、容器７内は、インキ収容部７１となっている。インキ収容部７１内には、例えば、油性インキが直接収容される（インキは図示せず）。本実施形態では、球状の栓体８で開口部７２の内周面を密封するために、別部材の開口部７２を容器７の前記開口に嵌合させている。インキカートリッジ６が筆記具本体に接続されると、容器７の後方外周面が軸筒２の後端内面と嵌合される。容器７の後端は、筆記具１の尾栓となるように形成されている。尚、本実施形態では、インキカートリッジ６を筆記具本体に接続させるために、容器７の後方外周面が、軸筒２に嵌合する構成としたが、本発明の筆記具は、この構成に限定されるものではない。例えば、容器７と軸筒２とを螺合させるなど、インキカートリッジ６がより抜け難い接続方法を適用することもできる。また、本実施形態では、栓体８として球状物を用いているが、本発明の筆記具は、この構成に限定されるものではない。栓体８は、押圧開放可能なものであれば、例えば、円盤状のものや、開口部７２に一体成形された薄肉状のもの等、従来から知られた形態であってもよい。
【００４５】
前記油性インキとしては、例えば、溶剤としてエタノールとイソプロピルアルコールを用いて、顔料、樹脂、剥離剤等の添加剤を含有する筆記板用油性インキが適用される。このような組成の筆記板用油性インキは、筆記時の筆跡乾燥性及び消去性に優れたものである。尚、第２の本発明に適用されるインキは、前記筆記板用油性インキの組成に限定されるものではなく、剥離剤を含まない油性インキや、主溶媒を水とする水性インキであってもよい。
【００４６】
インキカートリッジ６は、筆記具本体を構成する軸筒２の後端開口に挿入され、更に前方に押圧される。これにより、突起部５３の後端が、栓体８を後方に押圧してインキカートリッジ６を開栓させる。その際、突起部５３の溝部５４を除く外周面と開口部７２の内周面とが遊嵌状態となる。また、開口部７２の外周面の前記環状リブが、気密接続部５２の内周面と気密嵌合される。これにより、開口部７２の外周面と気密接続部５２との間に気密部９が形成され、インキカートリッジ６と筆記具本体とが接続状態となる。このような構成により、気密接続部５２の内周面と開口部７２の外周面が適度な嵌合力となる。この結果、インキカートリッジ６を軽い力で装着（接続）することができ、且つ、インキカートリッジ６が容易に抜けることがない。
また、このようなインキカートリッジ６と筆記具本体との接続状態においては、開口部７２の内側の円形空間が、突起部５３によって区画され、溝部５４からなる二本の流路に分断される。そのため、インキカートリッジ６内のインキは、貫通孔５１´及びインキ誘導部５１を通ってペン先３側へ供給される。ペン先３側へインキが供給されるとき（即ち、筆記時）には、一方の溝部５４がインキ流路となり、他方の溝部５４がペン先３側からインキカートリッジ６内への空気導入路となる。このような構成により、前記空気導入路となる空間がインキによって封鎖（液密状態）されることがなくなり、容器７のインキ収容部７１の内圧が常時一定となる。この結果、ペン先３へのインキ供給が常に安定して行われ、筆跡かすれ等を生じることなく安定した筆記が可能となる。
【００４７】
本実施形態の筆記具１では、インキカートリッジ６が筆記具本体に適度な嵌合力で接続される。これにより、インキ消費後にインキカートリッジ６を交換する際に、ユーザーは、大きな力を必要とすることなく、使用済のインキカートリッジ６を引き抜くことができる。特に、インキカートリッジ６の外周面と気密接続部５２の内周面とが、前記環状リブを介して気密嵌合することで、成形寸法の誤差に左右されることなく、嵌合力の調整が容易なものとなる。また、前記環状リブを二本設けることで、接続状態のインキカートリッジ６のガタツキが抑制される。従って、本実施形態の筆記具１は、特に、インキカートリッジ６が交換しやすい点で優れた構成となっている。
【００４８】
また、上述した第２の本発明の実施形態の接続構造は、インキカートリッジ６の開口部７２の内径が１７ｍｍ以下、好ましくは、１０ｍｍ以下（より具体的には４ｍｍ〜１０ｍｍ）の細軸筆記具に適用されると、特に有用な効果を発揮する。インキカートリッジ６の開口部７２の内径が大きい場合は、開口部７２の内周面に他の部材を嵌合させる構成としても、一定の流路を確保することが容易である。これに対して、インキカートリッジ６の開口部７２の内径が小さい場合、例えば、１７ｍｍ以下の場合は、開口部７２の内周面に他の部材を嵌合させる構成では、流路の確保が困難となる。このため、ペン先３側へのインキの流出と、インキカートリッジ６内への空気の流入とが阻害され易くなる。一方、上述した第２の本発明の実施形態の接続構造は、インキカートリッジ６の開口部７２の外周面が筆記具本体の気密接続部５２の内周面と気密嵌合する構成となっているので、開口部７２の内側に前記インキ流路及び前記空気導入路を確保することができる。この結果、ペン先３側へのインキの流出と、インキカートリッジ６内への空気の導入とが阻害されることがない。これにより、ペン先３へのインキ供給が常に安定して行われ、筆跡かすれ等を生じることなく安定した筆記が可能となる。
【００４９】
ここで、図１２、１３は、本実施形態の筆記具１を構成する中間部材５の他の実施形態を示すものである。中間部材５は、図１０、図１１に示す構成に限定されるものではない。例えば、図１２、１３に示すように、中間部材５は、気密接続部５２の外周面に一又は複数の突条５７が形成された構成であってもよい。
突条５７は、インキカートリッジ６の開口部７２の内周面が、気密接続部５２の外周面に嵌合されることを阻止する。上述のとおり、本実施形態の接続構造は、インキカートリッジ６の開口部７２の内周面を、気密接続部５２の外周面に気密嵌合させるものである。しかし、インキカートリッジ６の開口部７２の内径が、気密接続部５２の外径とほぼ等しい場合は、開口部７２の内周面と気密接続部５２の外周面とが嵌合可能となる。このような場合は、第２の本発明の接続構造が実施されないことになる。そこで、図１２、１３に示すような突条５７が、気密接続部５２の外周面に形成されることで、気密接続部５２の外径よりも大きな内径の開口部７２を有するインキカートリッジ６の嵌合を阻止することができる。
【００５０】
＜第３の本発明の実施形態＞
次に、第３の本発明の筆記具及びインキカートリッジの実施形態について図面を用いて説明する。但し、第３の本発明は、以下に説明する実施形態に限定されるものではない。
図１４に示す実施形態の筆記具１は、筆記具本体と、インキカートリッジ６とで構成されている。筆記具本体は、筆記先端となるペン先３を軸筒２の前端に備え、インキ吸蔵体４と中間部材５を軸筒２内に配設した構成となっている。インキカートリッジ６は、有底円筒状の容器７内にインキを直接収容し、その開口部７２を栓体８で封鎖した構成となっている。本実施形態の筆記具１は、軸筒２の前側にキャップが装着されるキャップ式筆記具である（キャップは図示せず）。
【００５１】
前記筆記具１は直液式形態の筆記具である。筆記具本体の軸筒２は、ペン先３と、ペン先３の後端に接続されるインキ吸蔵体４と、インキ吸蔵体４の後方に配置される中間部材５とを備える。図１４、１７に示すように、中間部材５は、嵌合部５５が形成された略円盤状の隔壁を有する。中間部材５は、前記隔壁の後方に気密接続部５２と突起部５３とを備える。軸筒２は、後端が開口した円筒形樹脂成形体である。軸筒２は、前端でペン先３を保持し、且つインキ吸蔵体４と中間部材５を内蔵した構成となっている。更に、筆記具本体とインキカートリッジ６とは、軸筒２の後端開口に挿入されたインキカートリッジ６が、軸筒２と螺合し、且つ気密接続部５２と嵌合することで筆記具形態となる。
【００５２】
ペン先３は、合成樹脂製繊維（例えば、ポリエステル繊維、アクリル繊維、ナイロン繊維等）の樹脂加工により得られる棒状体のマーキングペンチップである。ペン先３の前端は、砲弾状に研削されているが、チゼル状等汎用形状に加工したものを適用することが可能である。更にペン先３として、マーキングペンチップの他、ボールペンチップ等を用いることもできる。
【００５３】
インキ吸蔵体４は、円柱状の合成樹脂製繊維（例えば、ポリエステル繊維）の加工体よりなる。インキ吸蔵体４の外周面には、円筒状の外皮が被覆されている。前記外皮は、合成樹脂製フィルム（例えば、ポリエチレンテレフタレート製フィルム）よりなる。ペン先３の後端は、インキ吸蔵体４の前端面の軸心に突き刺さり、インキ吸蔵体４の内部前方に位置する。
尚、インキ吸蔵体４としては、インキを一旦保持できる構造を有していれば汎用のものが使用可能である。インキ吸蔵体４として、蛇腹状のインキ保溜部材（ペン芯）等を用いることもできる。
【００５４】
図１４、１６に示すように、軸筒２は、合成樹脂（例えば、ポリプロピレン、ポリエチレン等）の射出成形により得られる筒状体である。軸筒２のペン先３の外周面を保持する前端は先細状となっている。軸筒２の前端から後端開口部分までは一部材で成形されている。更に軸筒２の内部には、インキ吸蔵体４及び中間部材５が配設される。軸筒２の後方には、インキカートリッジ６が螺合するねじ山２３（雌ねじ）が形成されている。また、軸筒２の中間部材５が配設される位置には、二つの環状リブ２２が形成されている。環状リブ２２は、中間部材５の嵌合部５５と嵌合し、中間部材５を特定位置に保持する。
具体的な構造として、軸筒２の内面には、前後方向に延びる複数本の規制リブ２１が等間隔に形成されている。該規制リブ２１は、インキ吸蔵体４の外周面を圧接保持する。また、該規制リブ２１は、図１５、１７に示す係止部５６に対する被係止部として作用する。規制リブ２１は、軸筒２の内面に等間隔で一体成形される。このような規制リブ２１は、中間部材５に強い回転方向の力が加えられたときに、係止部５６を確実に接触係止する。これにより、中間部材５の回転が抑制される。規制リブ２１の数は、特に限定されない。例えば、図１５に示す実施形態では、八本の規制リブ２１が形成される。また、図１９に示す実施形態では、二十本の規制リブ２１が形成される。
一方、軸筒２の前記先細部の内面には、別の保持用リブが形成される。この保持用リブは、ペン先３の外周面を圧接保持する。
規制リブ２１及び前記保持用リブにより、インキ吸蔵体４の外周面と軸筒２の内面との間、ペン先３の外周面と先細部の内面との間に、それぞれ空気通路が形成される。
【００５５】
図１７に示すように、中間部材５は、合成樹脂（例えば、ポリプロピレン、ポリエチレン等）の射出成形により得られる。中間部材５を構成する略円盤状の前記隔壁は、インキ吸蔵体４とインキカートリッジ６とを区画する。前記隔壁の前面には、前方に突出し且つインキ吸蔵体４の内部に突き刺さる複数本（例えば、二本）の連通管が形成される。前記連通管は、軸方向にインキ誘導部５１を備える。前記隔壁の後面には、後方に突出し且つインキカートリッジ６の開口部７２に挿入される突起部５３が形成される。更に、前記隔壁の後面には、後方に突出し且つ突起部５３が軸心に位置するように形成される筒状の気密接続部５２が形成される。既に述べたように、前記隔壁の外周面には嵌合部５５が形成され、前記隔壁の前面には係止部５６が形成される。嵌合部５５は、環状の段部であり、軸筒２の内面に形成された二つの環状リブ２２に嵌合して固定される。二本の係止部５６は、前方に向かって突出する。上述のように、中間部材５は、前記隔壁と、前記嵌合部５５と、前記連通管と、係止部５６と、突起部５３と、気密接続部５２とを備える一部材からなる。
【００５６】
尚、本実施形態の筆記具１では、インキカートリッジ６の開口部７２近傍の外周面に環状リブが形成される。前記環状リブが、気密接続部５２の内周面に圧接することで、インキカートリッジ６の開口部７２の外周面が気密状態で接続保持される。しかし、本発明の筆記具は、この構成に限定されるものではない。例えば、環状リブを設けずに、気密接続部５２の内周面と、開口部７２の外周面とが面接触で嵌合する構成であってもよい。また、突起部５３の外周面とインキカートリッジ６の開口部７２の内周面とが嵌合して気密状態を形成する構造（図６、７を参照）や、インキカートリッジ６の開口部７２の前面と中間部材５の前記隔壁とが圧接して気密状態を形成する構造等、インキ漏れを生じない他の構造を用いることもできる。
特に、気密接続部が、筒内にインキを誘導させる構成である場合は、インキカートリッジの内周面に、気密接続部の外周面を圧入接続させることで、両者の気密状態を容易に形成することができる。したがって、第３の本発明は、インキカートリッジの内周面に、気密接続部の外周面を圧入接続させる形態に特に適用しやすい。
【００５７】
図１４に示すように、突起部５３には、上述した第１及び第２の本発明の実施形態と同様に、前後方向に延びる半円形の溝部（流路）５４が形成される。突起部５３における上下方向の対称位置に二本の溝部５４が形成される。インキカートリッジ６の開口部７２内に突起部５３が挿入されると、突起部５３の溝部５４を除く外周面が、開口部７２の内周面に略嵌合状態（好ましくは、遊嵌状態）となる。該溝部５４の前記隔壁側の端部には、インキ誘導部５１と連通する二つの貫通孔が形成されている。突起部５３がインキカートリッジ６の開口部７２に嵌合すると、後出する栓体８が開栓になる。このとき、二本の溝部５４のうちの一方がインキ流路として作用する。該インキ流路は、インキカートリッジ６内のインキをペン先３側に供給する通路となる。また、二本の溝部５４のうちの他方は、空気導入路として作用する。該空気導入路は、ペン先３側からインキカートリッジ６内に空気を流入させる通路となる。このような構成により、筆記具本体とインキカートリッジ６との内圧の均衡が保たれる。
前記インキ流路及び前記空気導入路となる二本の溝部５４を突起部５３の外面に設けることで、インキカートリッジ６の開口部７２が径方向に複数（本実施形態では二つ）に区画される。これにより、前記インキ流路と前記空気導入路とが接触することなくそれぞれ独立して形成される。
尚、上述した突起部５３と開口部７２との前記略嵌合状態とは、突起部５３の外面と開口部７２の内面とが、略全面で密接する状態、部分的に接する状態、両面間に微細な隙間が形成された状態（遊嵌）のいずれを含むものである。そのため、突起部５３と開口部７２とが遊嵌する場合には、二本の溝部５４によって形成される大空間流路が、実質的に独立した状態で前記インキ流路と前記空気導入路として作用する。
但し、突起部５３と開口部７２とを前記略嵌合状態にさせる構成は、本発明の筆記具の好ましい実施形態の一つである。本発明の筆記具は、突起部５３と開口部７２とを前記略嵌合状態にさせる構成に限定されるものではない。したがって、本発明の筆記具は、突起部５３と開口部７２とを嵌合させない構成を含む。
【００５８】
図１７に示すように、中間部材５の前記隔壁の前面には、上述した二本の係止部５６が、インキ誘導部５１（連通管）に対して左右対称の位置に設けられている。各係止部５６は、いずれも幅広のリブであり、中間部材５の回転を防止する役割を果たす。図１５に示すように、各係止部５６は、いずれも二つの被係止部２１の間に配置可能となっている。各係止部５６の幅は、二つの被係止部２１の間の幅よりも若干小さい。これにより、中間部材５の嵌合部５５を軸筒２の環状リブ２２に嵌合させるときに、二つの被係止部２１の間に各係止部５６を容易に配置させることができるので、中間部材５の組み付け作業が容易となる。また、インキカートリッジ６から中間部材５に回転方向の力が加わった際には、係止部５６が被係止部２１と直ちに接触し、中間部材５の回転を規制する。
尚、本実施形態の係止部５６は、独立した二本の幅広リブであるが、この構成に限定されるものではない。例えば、図１８、１９に示すように、中間部材５の前記隔壁の前面に、インキ誘導部５１の連通管を囲む円筒部を設け、該円筒部の外周面に前後方向のリブを形成する構造であってもよい。
また、係止部５６は、一本であってもよいし、三本以上であってもよい。例えば、図１８、１９に示す実施形態においては、円筒部の外周面に等間隔に四本の係止部５６が形成される。三本以上の係止部５６が形成される場合は、各係止部５６が、中間部材５の前記隔壁の径方向に等間隔で配置されることが好ましい。しかし、複数の係止部５６の間隔は、等間隔に限定されるものではない。
【００５９】
図１４に示すように、インキカートリッジ６は、前端が開口し、後端が閉鎖された有底円筒状体である容器７と、容器７の前記開口に嵌合された開口部７２とを備える。容器７の前側の外周面には、ねじ山７３（雄ねじ）が一体的に形成される。容器７は、合成樹脂（例えば、ポリプロピレン樹脂）の射出成形またはブロー成形により得られる。開口部７２の内側壁面には、栓体８が嵌着されている。
また、容器７内は、インキ収容部７１となっている。インキ収容部７１内には、例えば、油性インキが直接収容される（インキは図示せず）。本実施形態では、球状の栓体８で開口部７２の内周面を密封するために、別部材の開口部７２を容器７の前記開口に嵌合させている。インキカートリッジ６は、容器７の外周面のねじ山７３と軸筒２の内周面のねじ山２３とを螺合させることにより、筆記具本体に接続される。容器７の後端は、筆記具１の尾栓となるように形成されている。尚、本実施形態では、インキカートリッジ６を筆記具本体に接続させるために、容器７の外周面のねじ山７３と軸筒２の内周面のねじ山２３とを螺合させる構成としたが、本発明の筆記具は、この構成に限定されるものではない。例えば、容器７と軸筒２とを嵌合等の方法で接続させることもできる。また、栓体８として球状物を用いているが、本発明の筆記具は、この構成に限定されるものではない。栓体８は、押圧開放可能なものであれば、例えば、円盤状のものや、開口部７２に一体成形された薄肉状のもの等、従来から知られた形態であってもよい。
【００６０】
前記油性インキとしては、例えば、溶剤としてエタノールとイソプロピルアルコールを用いて、顔料、樹脂、剥離剤等の添加剤を含有する筆記板用油性インキが適用される。このような組成の筆記板用油性インキは、筆記時の筆跡乾燥性及び消去性に優れたものである。尚、第３の本発明に適用されるインキは、前記筆記板用油性インキの組成に限定されるものではなく、剥離剤を含まない油性インキや、主溶媒を水とする水性インキであってもよい。
【００６１】
インキカートリッジ６は、筆記具本体を構成する軸筒２の後端開口に挿入された状態で回転される。これにより、インキカートリッジ６の外周面のねじ山７３が、軸筒２の内周面のねじ山２３に螺合される。その際、突起部５３の後端が、栓体８を後方に押圧してインキカートリッジ６が開栓される。また、突起部５３の溝部５４を除く外周面と開口部７２の内周面とが遊嵌状態となる。これにより、開口部７２の外周面が、気密接続部５２の内周面と気密嵌合され、インキカートリッジ６と筆記具本体とが接続状態となる。
このようなインキカートリッジ６と筆記具本体との接続の過程において、インキカートリッジ６は、気密接続部５２と開口部７２とが嵌合された状態で回転されるため、中間部材５に回転方向の力が加えられる。本実施形態の筆記具１によれば、係止部５６が被係止部２１と接触し、中間部材５の回転を抑制するため、中間部材５を回転させることなくインキカートリッジ６を接続させることができる。
また、このようなインキカートリッジ６と筆記具本体との接続状態においては、開口部７２の内側の円形空間が、突起部５３によって区画され、溝部５４からなる二本の流路に分断される。そのため、インキカートリッジ６内のインキは、インキ誘導部５１を通ってペン先３側へ供給される。ペン先３側へインキが供給されるとき（即ち、筆記時）には、一方の溝部５４がインキ流路となり、他方の溝部５４がペン先３側からインキカートリッジ６内への空気導入路となる。このような構成により、前記空気導入路となる空間がインキによって封鎖（液密状態）されることがなくなり、容器７のインキ収容部７１の内圧が常時一定となる。この結果、ペン先３へのインキ供給が常に安定して行われ、筆跡かすれ等を生じることなく安定した筆記が可能となる。
【００６２】
ここで、全てのインキが消費された使用済のインキカートリッジ６を取り外す際には、インキカートリッジ６を回転させる。これにより、インキカートリッジ６のねじ山７３と軸筒２のねじ山２３と間の螺合が解除される。また、この螺合解除の過程で、中間部材５の気密接続部５２とインキカートリッジ６の開口部７２との間の嵌合が解除される。
このようなインキカートリッジ６の取り外しの過程においても、インキカートリッジ６は、気密接続部５２と開口部７２とが嵌合された状態で回転されるため、中間部材５に回転方向の力が加えられる。上述したように、本実施形態の筆記具１では、インキカートリッジ６を回転させても中間部材５が回転しない。即ち、係止部５６が被係止部２１と接触し、中間部材５の回転を抑制する。これにより、中間部材５が、使用済のインキカートリッジ６とともに軸筒２から取り外されてしまうことはない。したがって、本実施形態の筆記具１では、インキカートリッジ６の交換の際に、筆記具本体の構成部品が失われてしまうことがなく、筆記具本体を繰り返し使用することができる。
尚、本実施形態の筆記具１では、インキカートリッジ６と軸筒２とが螺合される構成であるため、インキカートリッジ６が着脱時に必ず回転される。しかし、第３の本発明は、インキカートリッジ６と軸筒２とが螺合されない構成の筆記具に適用された場合でも、有用な効果を奏する。即ち、インキカートリッジ６と軸筒２とが螺合されない構成（例えば、図１、８、１０に示す構成）であっても、カートリッジ６を回転させながら着脱することがあるため、このような場合に、第３の本発明は、中間部材５の回転を抑制するという有用な効果を奏する。
また、インキカートリッジ６は、軸筒２と螺合する構成には限定されない。例えば、インキカートリッジ６が、気密接続部５２又は突起部５３などの中間部材５の一部と螺合する構成が考えられる。このような構成の場合は、インキカートリッジ６が着脱時に必ず回転されるので、第３の本発明は、上述した本実施形態と同様の効果を奏する。
【００６３】
更に、上述した本実施形態の筆記具１は、係止部５６が中間部材５に形成され、該係止部５６の回転を規制する被係止部２１が軸筒２の内周面に形成された構成となっている。しかし、第３の本発明は、この構成に限定されるものではない。例えば、係止部５６として作用する回転防止リブが軸筒２の内周面に形成され、被係止部２１として作用する複数の規制リブが中間部材５の外周面に形成された構成としてもよい。このような構成とした場合でも、中間部材５の隣り合う被係止部２１の間に、軸筒２の係止部５６が配置され、中間部材５の回転を抑制することができる。
【符号の説明】
【００６４】
１  筆記具
２  軸筒
２１  規制リブ（被係止部）
２２環状リブ
２３  ねじ山（雌ねじ）
３  ペン先
４  インキ吸蔵体
５  中間部材
５１  インキ誘導部
５１´  貫通孔
５２  気密接続部
５３  突起部
５４  流路（溝部）
５５  嵌合部
５６  係止部（回転防止リブ）
５７  突条
６  インキカートリッジ
７  容器
７１  インキ収容部
７２  開口部
７３  ねじ山（雄ねじ）
８  栓体
９  気密部（内周面、環状リブ）
【図１】
2014148445.tif 000003
【図２】
2014148445.tif 000004
【図３】
2014148445.tif 000005
【図４】
2014148445.tif 000006
【図５】
2014148445.tif 000007
【図６】
2014148445.tif 000008
【図７】
2014148445.tif 000009
【図８】
2014148445.tif 000010
【図９】
2014148445.tif 000011
【図１０】
2014148445.tif 000012
【図１１】
2014148445.tif 000013
【図１２】
2014148445.tif 000014
【図１３】
2014148445.tif 000015
【図１４】
2014148445.tif 000016
【図１５】
2014148445.tif 000017
【図１６】
2014148445.tif 000018
【図１７】
2014148445.tif 000019
【図１８】
2014148445.tif 000020
【図１９】
2014148445.tif 000021
【国際調査報告】
2014148445.tif 000022
2014148445.tif 000023
2014148445.tif 000024
2014148445.tif 000025